(57)【要約】【課題】  ハンズフリー通話の操作性に優れ、かつ低コスト化が可能である電子装置および通信システムを提供する。【解決手段】  車載通信システムは、車載装置１００、携帯端末２００、ヘッドセット３００、３１０を含む。ヘッドセット３００、３１０は、無線モジュール１６２、１６４により車載装置１００に接続され、携帯端末２００は、ＵＳＢ通信１６６により車載装置１００に接続される。携帯端末２００からＵＳＢ通信１６６を介して着信が受信されると、車載装置１００は、無線モジュール１６２、１６４をハンズフリー通話用のプロファイルを選択し、着信音をヘッドセット３００、３１０へ送信し、ヘッドセット３００、３１０のいずれかの受話ボタンが押下されると、受話ボタンが押下されていない無線モジュールを携帯端末２００に接続し、ハンズフリー通話のための無線接続を確立する。【選択図】  図８
2018046461.tif 000002
【特許請求の範囲】
【請求項１】
通話機能およびオーディオ再生機能を備えた携帯端末と接続可能な電子装置であって、
前記携帯端末とデータ通信を可能にする通信手段と、
オーディオ信号用のプロファイルおよびハンズフリー通話用のプロファイルに対応する第１の無線通信手段と、
オーディオ信号用のプロファイルおよびハンズフリー通話用のプロファイルに対応する第２の無線通信手段と、
前記通信手段を介して前記携帯端末から着信情報および着信音を受信したとき、前記着信情報を検出する検出手段と、
前記検出手段により着信情報が検出されたとき、第１の無線通信手段および第２の無線通信手段のハンズフリー通話用のプロファイルを選択する選択手段とを有し、
前記着信音は、ハンズフリー通話用のプロファイルに従い送信される、電子装置。
【請求項２】
電子装置はさらに、第１の無線通信手段を介して受話が選択された場合、第２の無線通信手段の接続を前記携帯端末に切替える切替手段を含む、請求項１に記載の電子装置。
【請求項３】
前記切替手段はさらに、第２の無線通信手段を介して受話が選択された場合、第１の無線通信手段の接続を前記携帯端末に切替える、請求項２に記載の電子装置。
【請求項４】
電子装置はさらに、前記通信手段を介して前記携帯端末で再生されたオーディオ信号が受信されるとき、前記選択手段は、第１および第２の無線通信手段のオーディオ信号用のプロファイルを選択し、
前記オーディオ信号は、オーディオ信号用のプロファイルに従い送信される、請求項１ないし３いずれか１つに記載の電子装置。
【請求項５】
第１および第２の無線通信手段がオーディオ信号を送信している間に、前記通信手段を介して着信情報が検出されたとき、前記選択手段は、第１および第２の無線通信手段のオーディオ信号用のプロファイルをハンズフリー通話用のプロファイルに変更する、請求項１ないし４いずれか１つに記載の電子装置。
【請求項６】
請求項１ないし５いずれか１つに記載の電子装置と、前記通信手段を介して接続された携帯端末と、第１の無線通信手段により接続されたハンズフリー通話機能に対応した第１のヘッドセットと、第２の無線通信手段により接続されたハンズフリー通話機能に対応した第２のヘッドセットとを含み、
携帯端末に着信があったとき、前記切替手段は、第１および第２のヘッドセットの一方を第１および第２の無線通信手段の一方から切断し、切断された無線通信手段を携帯端末に接続する、通信システム。
【請求項７】
第１および第２のヘッドセットは、受話選択手段を含み、前記切替手段は、前記受話選択手段の選択信号に基づき第１または第２の無線通信手段を切断する、請求項６に記載の通信システム。
【請求項８】
電子装置は、オートバイに搭載される、請求項６または７に記載の通信システム。
【発明の詳細な説明】
【技術分野】
【０００１】
本発明は、無線通信機能を備えた電子装置に関し、特に、電子装置に接続された携帯端末に着信があったときの無線通信機能の切替え制御に関する。
【背景技術】
【０００２】
オートバイ等の二輪車に搭載された車載装置に、運転者または同乗者が装着しているヘルメット型のヘッドセットをＢｌｕｅｔｏｏｔｈ（登録商標）等の無線通信を介して接続することにより、運転者や同乗者は、ヘッドセットを介してオーディオ信号を聴くことができる。また、車載装置にスマートフォンを接続した場合には、運転者または同乗者は、スマートフォンの機能を利用することも可能になり、例えば、ハンズフリー通話を行うことも可能になる。
【０００３】
このように、二輪車に搭載された車載装置に様々な機器を接続することで、利用者への利便性を向上することが求められる。特許文献１は、二輪車用の車載装置に無線通信モジュールを複数設けることで、他の端末装置からの接続要求に応えることが可能な車載用通信システムを開示している。
【先行技術文献】
【特許文献】
【０００４】
【特許文献１】特開２００３−２７３８０１号公報
【発明の概要】
【発明が解決しようとする課題】
【０００５】
従来の車載通信システムは、図１１（Ａ）に示すように、二輪車等に搭載された車載装置１０と、車載装置１０に接続された携帯端末（例えば、スマートフォン）２０と、ハンズフリー通話機能を備えたヘッドセット３０、４０とを含んで構成される。ヘッドセット３０は、運転者用のヘルメットに内蔵され、ヘッドセット４０は、同乗者用のヘルメットに内蔵される。車載装置１０は、携帯端末２０との間で双方向のデータ通信を行うＵＳＢ通信５０、携帯端末２０およびヘッドセット３０、４０との無線通信を行う３つの無線モジュール１、２、３を含む。無線モジュール１、２、３は、例えば、Ｂｌｕｅｔｏｏｔｈ（登録商標）のような近距離無線通信であり、無線モジュール１、２、３は、オーディオ信号を通信するためのプロファイル（例えば、ＡＶＰ）およびハンズフリー通話をするためのプロファイル（例えば、ＨＦＰ）を含む。携帯端末２０、ヘッドセット３０、４０も同様に、ＡＶＰやＨＦＰ等のプロファイルを有する無線モジュールを備え、携帯端末２０は、無線モジュール１に接続され、ヘッドセット３０、４０はそれぞれ無線モジュール２、３に接続される。
【０００６】
ヘッドセット３０、４０を介してハンズフリー通話が行われるとき、無線モジュール２、３のハンズフリー通話のプロファイルが選択される。ハンズフリー通話では、ヘッドセット３０、４０のマイクロフォンから入力された音声データが車載装置１０を介して携帯端末２０に送信され、相手の音声データが携帯端末２０から車載装置１０を介してヘッドセット３０、４０のスピーカーから出力される。
【０００７】
図１１（Ｂ）は、１つの無線モジュールが複数のプロファイルをもつとき、無線モジュールを複数の機器に接続する例を示している。例えば、無線モジュールＸがオーディオ信号用のプロファイルＡＶＰとハンズフリー通話用のプロファイルＨＦＰを有するとき、無線モジュールＸのＡＶＰをヘッドセットＡに接続し、ＨＦＰを携帯端末Ｂに接続することができる。
【０００８】
図１２は、図１１（Ａ）の車載通信システムの動作例を説明するフローである。ここでの例は、携帯端末２０で再生されたオーディオ信号をヘッドセット３０、４０から出力させているときに、携帯端末２０への着信に応じてハンズフリー通話に移行するときの動作を示している。
【０００９】
先ず、車載装置１０の電源がＯＮになると、車載装置１０から携帯端末２０、ヘッドセット３０、４０に対して無線モジュール１、２、３による接続要求が成され、無線モジュール１が携帯端末２０に接続され、無線モジュール２がヘッドセット３０に接続され、無線モジュール３がヘッドセット４０に接続される。また、車載装置１０は、ＵＳＢ通信５０により携帯端末２０に接続される。
【００１０】
次に、車載装置１０から携帯端末２０に対しＵＳＢ通信５０を介して楽曲再生の要求が行われると、携帯端末２０は、当該要求に応じて再生されたオーディオ信号をＵＳＢ通信５０を介して車載装置１０へ送信する。車載装置１０は、オーディオ信号を受け取ると、無線モジュール２、３のオーディオ信号のためのプロファイル（ＡＶＰ）を選択し、当該プロファイルに従い、ヘッドセット３０、４０にオーディオ信号を送信する。これにより、運転者および同乗者は、携帯端末２０で再生されたオーディオ信号を聴くことができる。
【００１１】
このような接続状態で、携帯端末２０に電話の着信があると、携帯端末２０は、着信情報および着信音をオーディオ信号に割り込ませ、着信情報および着信音をＵＳＢ通信５０を介して車載装置１０へ送信する。着信音は、車載装置１０からＡＶＰに従いヘッドセット３０、４０に送信され、運転者または同乗者は、着信があったことを知る。また、車載装置１０は、着信情報を検出し、車載装置１０の画面（例えば、ナビゲーション画面）に、受話を選択するための受話ボタンを割り込み表示する。画面の受話ボタンが選択されると、車載装置１０からＵＳＢ通信５０を介して携帯端末２０に受話選択信号が送信され、携帯端末２０は、受話選択信号に応答してオーディオ再生を停止し、かつ、無線モジュール１のＨＦＰを選択する。車載装置１０は、受話選択信号に応答して、無線モジュール２、３のＨＦＰを選択する。こうして、車載装置１０、携帯端末２０、およびヘッドセット３０、４０間でハンズフリー通話が可能となる。
【００１２】
しかしながら、従来の車載通信システムには、次のような課題がある。車載装置１０には、３つの無線モジュールが必要となり、コストが高くなってしまう。また、携帯端末２０からの着信情報がＵＳＢ通信５０からオーディオ情報として送信される為、無線モジュールのプロファイルがＡＶＰとなり、ヘッドセットの受話ボタンを使用することができない。それ故、車載装置等において外部の受話スイッチ（または受話ボタン）が必要になる。
【００１３】
また、図１１（Ｂ）に示すように、無線モジュールのプロファイルをハンズフリー通話用のプロファイル（ＨＦＰ）に制限することで、着信情報を無線モジュールから得ることも可能であるが、接続するプロファイルを制限するには、ユーザーの意図的な操作が必要となり、その操作が煩雑であり分かりにくいこと、携帯端末側でプロファイルを制限する機能が設けられていない場合がある。さらに、従来の車載通信システムの場合、運転者または同乗者の一方に、電話ができる人が固定になってしまう課題が生ずる。図１１（Ｃ）は、電話できる人が固定になってしまう場合を示しており、無線モジュール１のＨＦＰが携帯端末２０に接続され、ＡＶＰがヘッドセット３０に接続されているため、ヘッドセット３０から着信音は聞こえるが電話することができず、ハンズフリー通話が可能な装置がヘッドセット４０に限定されてしまっている。
【００１４】
本発明は、このような従来の課題を解決するものであり、ハンズフリー通話の操作性に優れ、かつ低コスト化が可能である電子装置および通信システムを提供することを目的とする。
【課題を解決するための手段】
【００１５】
本発明に係る電子装置は、通話機能およびオーディオ再生機能を備えた携帯端末と接続可能であって、前記携帯端末とデータ通信を可能にする通信手段と、オーディオ信号用のプロファイルおよびハンズフリー通話用のプロファイルに対応する第１の無線通信手段と、オーディオ信号用のプロファイルおよびハンズフリー通話用のプロファイルに対応する第２の無線通信手段と、前記通信手段を介して前記携帯端末から着信情報および着信音を受信したとき、前記着信情報を検出する検出手段と、前記検出手段により着信情報が検出されたとき、第１の無線通信手段および第２の無線通信手段のハンズフリー通話用のプロファイルを選択する選択手段とを有し、前記着信音は、ハンズフリー通話用のプロファイルに従い送信される。
【００１６】
好ましくは電子装置はさらに、第１の無線通信手段を介して受話が選択された場合、第２の無線通信手段の接続を前記携帯端末に切替える切替手段を含む。好ましくは前記切替手段はさらに、第２の無線通信手段を介して受話が選択された場合、第１の無線通信手段の接続を前記携帯端末に切替える。好ましくは電子装置はさらに、前記通信手段を介して前記携帯端末で再生されたオーディオ信号が受信されるとき、前記選択手段は、第１および第２の無線通信手段のオーディオ信号用のプロファイルを選択し、前記オーディオ信号は、オーディオ信号用のプロファイルに従い送信される。好ましくは第１および第２の無線通信手段がオーディオ信号を送信している間に、前記通信手段を介して着信情報が検出されたとき、前記選択手段は、第１および第２の無線通信手段のオーディオ信号用のプロファイルをハンズフリー通話用のプロファイルに変更する。
【００１７】
本発明に係る通信システムは、上記記載の電子装置と、前記通信手段を介して接続された携帯端末と、第１の無線通信手段により接続されたハンズフリー通話機能に対応した第１のヘッドセットと、第２の無線通信手段により接続されたハンズフリー通話機能に対応した第２のヘッドセットとを含み、携帯端末に着信があったとき、前記切替手段は、第１および第２のヘッドセットの一方を第１および第２の無線通信手段の一方から切断し、切断された無線通信手段を携帯端末に接続する。
【００１８】
好ましくは第１および第２のヘッドセットは、受話選択手段を含み、前記切替手段は、前記受話選択手段の選択信号に基づき第１または第２の無線通信手段を切断する。好ましくは電子装置は、オートバイに搭載される。
【発明の効果】
【００１９】
本発明によれば、携帯端末からの着信情報が検出されたとき、第１の無線通信手段および第２の無線通信手段のハンズフリー通話用のプロファイルに従い着信音を送信するようにしたので、第１の無線通信手段または第２の無線通信手段のいずれかを選択してハンズフリー通話を行うことができる。さらに受話選択されない第１の無線通信手段または第２の無線通信手段を携帯端末に接続することで、従来と比較して少ない数の無線通信手段によりハンズフリー通話を行うことができる。
【図面の簡単な説明】
【００２０】
【図１】本発明の実施例に係る車載通信システムの構成を例示する図である。
【図２】本発明の実施例に係る車載装置の構成を示すブロック図である。
【図３】本発明の実施例に係る通信制御プログラムの機能的な構成を示すブロック図である。
【図４】本実施例に係る携帯端末の構成を示すブロック図である。
【図５】本実施例に係る連携プログラムの機能的な構成例を示す図である。
【図６】ヘッドセットの構成を説明する図である。
【図７】本発明の実施例による車載通信システムの接続状態を示す図である。
【図８】図８（Ａ）は、ヘッドセット３００において受話選択されたときのＨＦＰの接続状態を示し、図８（Ｂ）は、ヘッドセット３１０において受話選択されたときのＨＦＰの接続状態を示す。
【図９】本実施例の車載通信システムの動作を説明するタイミングチャートである。
【図１０】本実施例の車載通信システムにおいて、ハンズフリー通話に移行するときの動作フローである。
【図１１】従来の車載通信システムの構成を示す図である。
【図１２】従来の車載通信システムの動作を説明するタイミングチャートである。
【発明を実施するための形態】
【００２１】
次に、本発明の実施の形態について、図面を参照して詳細に説明する。本発明の実施の形態に係る電子装置は、好ましくはオートバイ等の二輪車に搭載される車載装置である。また、本実施例の電子装置は、コンピュータ装置であり、スマートフォン等の携帯端末や、ハンズフリー通話に対応するヘッドセットと通信する機能、ナビゲーション機能、オーディオ信号を再生・出力する機能などを備えることができる。これらの外部機器を接続することで、携帯端末によって再生されたオーディオ信号をヘッドセットへ送信したり、携帯端末への着信に応答してハンズフリー通話を行うことができる。
【００２２】
本発明の実施の形態に係る携帯端末は、携帯電話、スマートフォン、タブレット端末、ノートパソコン等の端末であり、公衆電話回線網やＩＰ通信を介した電話機能を有するほか、電子装置と無線通信や有線通信を行うことができる。携帯端末はさらに、オーディオ・ビデオデータを再生する機能、ナビゲーション機能、地図表示機能などを備えることも可能である。
【実施例】
【００２３】
図１は、本実施例に係る車載通信システムの構成を例示する図である。本実施例に係る車載通信システムは、オートバイに搭載された車載装置１００、携帯端末２００、ヘッドセット３００、３１０を含んで構成される。車載装置１００と携帯端末２００は、例えば、Ｂｌｕｅｔｏｏｔｈ（登録商標）のような無線接続、および、ＵＳＢ通信のような有線接続が可能である。また、車載装置１００とヘッドセット３００、３１０は、Ｂｌｕｅｔｏｏｔｈ（登録商標）のような無線接続が可能である。
【００２４】
車載装置１００は、こうした通信機能に加えて、オーディオ機能やナビゲーション機能を備えることができる。例えば、車載装置１００で再生されたオーディオ信号を無線通信によりヘッドセット３００、３１０に送信し、そこから音声出力させる。また、車載装置のナビゲーション画面にオートバイの自車位置周辺の地図が表示される。さらに、車載装置１００が携帯端末２００と連携されるとき、携帯端末２００で再生されたオーディオ信号をヘッドセット３００、３１０で音声出力させことも可能である。さらに携帯端末２００に着信があると、車載装置１００に着信通知画面が割り込み表示され、ハンズフリー通話を行うことも可能である。
【００２５】
ヘッドセット３００、３１０は、好ましくはヘルメットに内蔵される。ヘッドセット３００、３１０は、音声を入力するためのマイクロフォンと、音声を出力するスピーカーと、無線通信を行うための無線モジュールとを含む。運転者または同乗者は、ヘッドセット３００、３１０を介して音楽を聴いたり、ハンズフリー通話を行うことが可能である。
【００２６】
図２は、車載装置１００の構成例を示すブロック図である。車載装置１００は、ユーザーからの入力を受け取る入力部１１０、ＧＰＳ信号等を利用して現在位置を算出する位置情報算出部１２０、ナビゲーション部１３０、表示部１４０、音声出力部１５０、通信部１６０、記憶部１７０、制御部１８０を含んで構成される。
【００２７】
ナビゲーション部１３０は、例えば、位置情報算出部１２０によって算出された現在地から目的地までの経路を探索したり、現在位置周辺の道路案内等を行う。表示部１４０は、例えば、液晶ディスプレイ、有機ＥＬディスプレイ等を含み、動作状態に応じて、音声再生画面、地図表示画面、着信通知画面等を表示する。音声出力部１５０は、ナビゲーション部１３０により生成されたオーディオ信号、携帯端末２００から送信されたオーディオ信号または車載装置自身が再生したオーディオ信号等の音声を出力する。
【００２８】
通信部１６０は、図７、８に示すように、Ｂｌｕｅｔｏｏｔｈ（登録商標）のような複数の無線モジュール１６２、１６４と、当該無線モジュール１６２、１６４とは異なる通信規格による通信モジュール１６６とを備える。無線モジュール１６２、１６４は、オーディオ信号のための送受を規定するオーディオ信号用のプロファイル（例えば、ＡＶＰなど）と、ハンズフリー通話を行うための送受を規定するハンズフリー通話用のプロファイル（例えば、ＨＦＰ）を含み、各プロファイルは、動作状態に応じて適宜選択される。無線モジュール１６２、１６４は、同様の通信プロファイルをサポートする外部の無線モジュールに接続が可能であり、図１に示す携帯端末２００、ヘッドセット３００、３１０と接続可能である。
【００２９】
通信モジュール１６６は、例えば、ＵＳＢ通信のような通信を含み、外部装置との間で双方向のデータ通信を可能にする（以下、便宜上、ＵＳＢ通信という）。ＵＳＢ通信１６６は、図１に示すように車載装置１００と携帯端末２００とを接続し、１つの好ましい例では、車載装置１００と携帯端末２００とがＵＳＢ通信１６６により接続されたとき、車載装置１００は携帯端末２００と連携するモードに移行する。連携モードでは、車載装置１００は、携帯端末２００に対して種々の要求を行い、携帯端末２００は、当該要求に対する結果を車載装置１００に出力する。
【００３０】
記憶部１７０は、ナビゲーション部１３０が実行するときに必要とする地図データを記憶したり、あるいは車載装置１００が動作するのに必要とするソフトウエアなどを記憶する。
【００３１】
制御部１８０は、好ましい態様では、ＲＯＭ、ＲＡＭ、マイクロコントローラ等を含み、ＲＯＭ／ＲＡＭは、車載装置１００の各部の動作を制御するための種々のプログラムを格納することができる。本実施例では、制御部１８０は、携帯端末２００がＵＳＢ通信１６６を介して車載装置１００に接続されたとき、連携プログラムを起動する。連携プログラムが起動されると、車載装置１００は、携帯端末２００の入出力手段として動作することができる。例えば、車載装置１００の入力部１００から携帯端末２００に対して、携帯端末２００が備えるメディアの再生を要求し、車載装置１００は、携帯端末２００から受け取ったメディアの再生データを表示部１４０および音声出力部１５０から出力する。制御部１８０はさらに、このような連携プログラムに加えて、携帯端末２００が接続されたとき、動作状態に応じて無線モジュール１６２、１６４の切替えを制御する通信制御プログラム４００を実行する。
【００３２】
図３は、本実施例に係る通信制御プログラムの機能的な構成を示す図である。通信制御プログラム４００は、着信情報検出部４１０、通信プロファイル選択部４２０、受話検出部４３０、および切替制御部４４０を含んで構成される。
【００３３】
着信情報検出部４１０は、携帯端末２００において着信があったとき、ＵＳＢ通信１６６を介して送信される着信情報を検出する。着信情報は、着信があった旨を判別可能な情報であり、例えば、発信者番号を含むことができる。携帯端末２００に着信があった場合には、当該着信情報とともに着信音もＵＳＢ通信１６６により車載装置１００に送信される。
【００３４】
通信プロファイル選択部４２０は、車載通信システムの動作状態に応じて、無線モジュール１６２、１６４の通信プロファイルを選択する。例えば、運転者または同乗者がヘッドセット３００、３１０を介して再生された楽曲を聴くとき、通信プロファイル選択部４２０は、無線モジュール１６２、１６４のオーディオ信号用のプロファイル（例えば、ＡＶＰ）を選択する。また、着信情報検出部４１０によりＵＳＢ通信１６６を介して着信情報が検出された場合には、通信プロファイル選択部４２０は、無線モジュール１６２、１６４のハンズフリー通話用のプロファイル（例えば、ＨＦＰ）を選択する。これにより、ＵＳＢ通信１６６から送信された着信音がＨＦＰに従いヘッドセット３００、３１０へ送信され、運転者および同乗者は、携帯端末２００に着信があったことを知ることができる。仮に、携帯端末２００で再生された楽曲がヘッドセット３００、３１０で聴かれているときに着信があった場合には、楽曲と着信音がハンズフリー通話のプロファイルに従いヘッドセット３００、３１０に送信され、そこから出力される。
【００３５】
受話検出部４３０は、携帯端末２００への着信に応答して運転者または同乗者による受話の有無を検出する。すなわち、着信があったとき、無線モジュール１６２、１６４は、ハンズフリー通話のプロファイルに従い着信音をヘッドセット３００、３１０に送信するが、後述するヘッドセット３００またはヘッドセット３１０のいずれかの受話ボタン３４０（図６を参照）が押下された場合に、受話検出部４３０は、受話ボタンの押下による受話選択信号を検出する。
【００３６】
切替制御部４４０は、受話検出部４３０の検出結果に基づき無線モジュール１６２、１６４の切替えを制御する。具体的には、受話検出部４３０により無線モジュール１６２を介してヘッドセット３００の受話ボタン３４０が検出された場合には、切替制御部４４０は、受話選択されていない無線モジュール１６４をヘッドセット３１０から切断し、他方、無線モジュール１６４を介してヘッドセット３１０の受話ボタン３４０が検出された場合には、受話選択されていない無線モジュール１６２をヘッドセット３００から切断する。さらに切替制御部４４０は、切断された無線モジュール１６２、１６４を携帯端末２００に接続させるため、携帯端末２００に対して、切断された無線モジュールと携帯端末２００との接続要求を行う。携帯端末２００は、この切替要求に応答して、切断された無線モジュールとの接続を行う。通信プロファイル選択部４２０は、切断された無線モジュールを携帯端末２００に接続させるとき、ハンズフリー通話用のプロファイルを選択する。こうして、受話選択されていないヘッドセットに接続されていた無線モジュールが携帯端末に接続され、携帯端末、車載装置および１つのヘッドセットが無線モジュール１６２、１６４のハンズフリー通話のプロファイルにより接続される。
【００３７】
携帯端末２００と車載装置１００との連携により、例えば、携帯端末２００で再生されたオーディオ信号がＵＳＢ通信１６６を介して車載装置１００に送信されている場合に、切替制御部４４０からの切替要求が携帯端末２００に送信されると、携帯端末２００は、切断された無線モジュールへの接続を行うとともに、オーディオ信号の再生を停止する。これにより、受話選択されたヘッドセットからは、受話音のみが出力される。
【００３８】
図４は、携帯端末の構成を示すブロック図である。携帯端末２００は、通話部２１０、通信部２２０、ユーザーからの入力を受け取る入力部２３０、表示部２４０、音声出力部２５０、記憶部２６０、制御部２７０を含んで構成される。但し、これは典型的な構成であり、携帯端末２００は、上記以外の機能を含むものであっても良い。
【００３９】
通話部２１０は、無線公衆回線網やインターネット回線網などを介して外部の電話機との音声通話を可能にする。通信部２２０は、車載装置１００との間で無線モジュールによる接続およびＵＳＢ通信１６６による接続を確立する。すなわち、通信部２２０は、車載装置１００の無線モジュール１６２、１６４と接続可能な無線モジュールを備え、当該無線モジュールは、オーディオ信号用のプロファイル（例えば、ＡＶＰ）およびハンズフリー通話用のプロファイル（ＨＦＰ）等を含む。
【００４０】
記憶部２５０は、メディアデータ（例えば、楽曲データや画像データ）、プログラム、外部サーバなどからダウンロードしたアプリケーションソフトウエア等を記憶することができる。制御部２６０は、好ましい態様では、ＲＯＭ、ＲＡＭ、マイクロコントローラ等を含み、ＲＯＭまたはＲＡＭは、携帯端末２００の各部の動作を制御するための種々のプログラムを格納することができる。
【００４１】
本実施例では、制御部２６０は、車載装置１００がＵＳＢ通信１６６を介して接続されたとき、車載装置１００と連携する連携プログラムを実行する。連携プログラムが実行されると、携帯端末２００は、連携モードに移行し、車載装置１００で入力された指示や命令を受け取り、これに応じた動作を実行し、必要に応じてオーディオ信号やビデオ信号等を車載装置１００へ送信する。
【００４２】
さらに連携プログラムは、図５に示すような機能的な構成を有する。すなわち、連携プログラム２７０は、着信割り込み部２８０、および通信制御部２９０を含む。着信割り込み部２８０は、携帯端末２００に車載装置１００がＵＳＢ通信１６６により接続されているときに、携帯端末２００に着信があると、着信情報と着信音をＵＳＢ通信１６６を介して割り込み出力する。例えば、携帯端末２００から車載装置１００にオーディオ信号が送信されているときに携帯端末２００に着信があると、オーディオ信号に重畳されて、あるいはオーディオ信号をミュートしてそこに着信情報と着信音が割り込まれ、オーディオ信号と着信情報および着信音とが車載装置１００に送信される。
【００４３】
通信制御部２９０は、ヘッドセットにおける受話選択に基づき車載装置１００から送信された切替要求に応答して、携帯端末２００の無線モジュールを、受話選択されていない切断された無線モジュール１６２、１６４に接続する。また、携帯端末２００で再生しているオーディオ信号がＵＳＢ通信１６６を介して車載装置１００に送信されている場合には、通信制御部２９０による切替えが行われたことに応答して、オーディオ信号の再生が停止される。
【００４４】
次に、ヘッドセット３００（３１０）について説明する。図６は、ヘッドセットの外観形状の例示である。ヘッドセット３００は、ヘルメットに内蔵されたヘッドフォン３２０、マイクロフォン３３０および受話ボタン３４０を含む。さらにヘッドセット３００は、無線モジュールを含み、当該無線モジュールは、オーディオ信号用のプロファイル（例えば、ＡＶＰ）およびハンズフリー通話用のプロファイル（例えば、ＨＦＰ）を有し、選択されたプロファイルに従い車載装置１００の無線モジュール１６２、１６４と接続可能である。
ヘッドセット３００は、無線モジュールを介して受信されたオーディオ信号をヘッドフォン３２０から音声出力し、マイクロフォン３３０から入力された音声信号を無線モジュールを介して送信する。車載装置１００からヘッドセット３００、３１０に着信信号が送信されたとき、受話ボタン３４０が押下されると、その信号が車載装置１００へ送信され、車載装置１００の受話検出部４３０により検出される。
【００４５】
次に、本実施例の車載通信システムの動作について説明する。図７は、車載通信システムにおいて、車載装置１００と携帯端末２００とが連携されているときの接続例、図８は、車載通信システムにおいてハンズフリー通話が行われるときの接続例、図９は、各部の接続状態を示すタイミングチャートである。
【００４６】
まず、図９に示すように、車載装置１００の電源がＯＮになると、通信部１６０は、事前に登録済み（ペアリング済み）の運転手用および同乗者用のヘッドセット３００、３１０を検索し、検索すると、無線モジュール１６２、１６４によりヘッドセット３００、３１０と接続する。また、一定時間内にヘッドセット３００および／または３１０を検出できなかった場合は、無線モジュール１６２または無線モジュール１６４を携帯端末２００に接続しても良い。さらに携帯端末２００がＵＳＢ通信１６６により車載装置１００に接続され、両機器が連携モードで動作可能な状態に置かれる。この接続状態を図７に示す。
【００４７】
次に、車載装置１００から携帯端末２００に対し、例えば、オーディオ再生の要求が行われると、携帯端末２００は、当該要求に応じて楽曲を再生し、ＵＳＢ通信１６６を介して再生されたオーディオ信号を車載装置１００に送信する。通信プロファイル選択部４２０は、無線モジュール１６２、１６４のオーディオ信号用のプロファイル（例えば、ＡＶＰ）を選択し、このプロファイルに従い、オーディオ信号が無線モジュール１６２を介して運転者のヘッドセット３００に送信され、かつ無線モジュール１６４を介して同乗者のヘッドセット３１０に送信され、そこで音声出力される。
【００４８】
オーディオ信号の再生および音声出力が行われている間に、携帯端末２００に着信があると、着信割込み部２８０は、着信情報と着信音をオーディオ信号に割り込ませ、着信情報と着信音がＵＳＢ通信１６６を介して車載装置１００に送信される。
【００４９】
車載装置１００において、着信情報検出部４１０により着信情報が検出されると、車載装置１００の表示部１３０に着信があった旨が表示される。さらに、着信情報の検出に基づき通信プロファイル選択部４２０は、無線モジュール１６２、１６４のハンズフリー通話用のプロファイルを選択し、当該プロファイルに従い、オーディオ信号と着信音がヘッドセット３００およびヘッドセット３１０に送信される。
【００５０】
ハンズフリーフリー通話用のプロファイルによる通信のとき、ヘッドセット３００、３１０の受話ボタン３４０による受話選択が可能になる。図９は、ヘッドセット３００の受話ボタン３４０が押下されたときの例である。受話ボタン３４０が押下されると、押下信号が無線モジュール１６２を介して車載装置１００へ送信され、受話検出部４３０により押下信号が検出されると、切替制御部４４０は、受話ボタン３４０が押下されていないヘッドセット３１０と無線モジュール１６４との接続を切断し、無線モジュール１６４と携帯端末２００とが接続されるように携帯端末２００に接続要求を行う。無線モジュール１６４が携帯端末２００に接続されると、携帯端末２００は、オーディオ再生を停止し、その後、ハンズフリー通話が開始される。図８（Ａ）は、この接続状態を示している。図８（Ｂ）は、同乗者のヘッドセット３１０の受話ボタン３４０が押下されたときの接続状態である。
【００５１】
ハンズフリー通話が終了したとき、すなわち、携帯電話２００での受話終了をトリガーに、携帯電話２００と車載装置１００の無線モジュールによる切断し、再度、ヘッドセット３１０を検索し、無線モジュール１６４によりヘッドセット３１０との無線接続を確立するようにしても良い。さらに、携帯端末２００において楽曲の再生を再開させ、再び、ハンズフリー通話の前の状態に自動的に移行させるようにしてもよい。
【００５２】
図１０は、オーディオ再生からハンズフリー通話に移行するときの動作フローである。携帯端末２００で電話の着信が検出されると（Ｓ１００）、着信情報と着信音がＵＳＢ通信１６６を介して車載装置１００に送信され（Ｓ１０２）、車載装置１００で着信情報が検出されると（Ｓ１０４）、無線モジュール１６２、１６４のプロファイルがオーディオ信号用からハンズフリー通話用に変更され、着信音がハンズフリー通話用のプロファイルによりヘッドセット３００、３１０に送信される（Ｓ１０６）。ヘッドセット３００、３１０の受話ボタン３４０が押下されると、押下信号が車載装置１００に送信され（Ｓ１０８）、切替制御部４４０によりハンズフリー通話に移行される（Ｓ１１０）。
【００５３】
このように本実施例によれば、図１１に示すように３つの無線モジュールを用いることなく２つの無線モジュールにより運転者および同乗者によるオーディオ視聴およびハンズフリー通話を行うことが可能になる。また、運転者または同乗者のいずれかの受話選択も可能になる。
【００５４】
上記実施例では、オートバイの運転者と同乗者用の２つのヘッドセットを使用する例を示したが、これは一例である。例えば、自動車等の車内空間において、３つ以上のヘッドセットを使用する場合にも、受話選択されないヘッドセットに接続された無線モジュールを携帯端末に接続されるようにしてもよい。
【００５５】
以上、本発明の好ましい実施の形態について詳述したが、本発明は、特定の実施形態に限定されるものではなく、特許請求の範囲に記載された発明の要旨の範囲において、種々の変形、変更が可能である。
【符号の説明】
【００５６】
１００：車載装置                        １６２、１６４：無線モジュール
１６６：ＵＳＢ通信                      ２００：携帯端末
３００、３１０：ヘッドセット            ３４０：受話ボタン
【図１】
2018046461.tif 000003
【図２】
2018046461.tif 000004
【図３】
2018046461.tif 000005
【図４】
2018046461.tif 000006
【図５】
2018046461.tif 000007
【図６】
2018046461.tif 000008
【図７】
2018046461.tif 000009
【図８】
2018046461.tif 000010
【図９】
2018046461.tif 000011
【図１０】
2018046461.tif 000012
【図１１】
2018046461.tif 000013
【図１２】
2018046461.tif 000014